(57)【要約】 【課題】  遊技機に関する情報を見やすく表示することができる遊技機の情報表示具を提供する。【解決手段】  遊技機６０の上部６１に配設され、遊技機６０に関する情報６２が記載された情報シート１１が着脱可能に収納される遊技機の情報表示具１０であって、遊技機６０の一般面６３よりも前出すると共に斜め下方に向かって配設される情報シート収納面部１２と、情報シート収納面部１２と取付面部１３との間に設けられ、情報シート収納面部１２を遊技機６０に固定する固定部１４とを備えている。【選択図】  図１
0003209779.tif 000002
【実用新案登録請求の範囲】
【請求項１】
遊技機の上部に配設され、前記遊技機に関する情報が記載された情報シートが着脱可能に収納される遊技機の情報表示具であって、前記遊技機の一般面よりも前出すると共に斜め下方に向かって配設される情報シート収納面部と、前記情報シート収納面部と取付面部との間に設けられ、前記情報シート収納面部を前記遊技機に固定する固定部とを備えたことを特徴とする遊技機の情報表示具。
【請求項２】
前記情報シート収納面部は全体平面長方形板状に形成され、前記情報シートの前面側に着脱可能に配置される透明シートとの間に前記情報シートを挟んで収納するように構成されていることを特徴とする請求項１記載の遊技機の情報表示具。
【請求項３】
前記固定部は、前記情報シート収納面部の横方向両端部に設けられた一対の固定片部として形成されていることを特徴とする請求項１記載の遊技機の情報表示具。
【請求項４】
前記取付面部には、前記情報シート収納面部を前記遊技機の上部から吊り下げた状態で係止しうる係止部と、前記係止部から延設され、前記取付面部に連結しうる連結部とを有する連結片部が着脱可能に取り付けられることを特徴とする請求項１記載の遊技機の情報表示具。
【請求項５】
前記取付面部及び前記連結部には、夫々、挿通孔部が設けられ、前記取付面部と前記連結部とは、前記挿通孔部を介してネジ部材により着脱可能に固定されることを特徴とする請求項４記載の遊技機の情報表示具。
【請求項６】
前記連結部は平面長方形状に形成され、前記挿通孔部が前記連結部の長さ方向に沿って複数設けられていることを特徴とする請求項５記載の遊技機の情報表示具。
【考案の詳細な説明】
【技術分野】
【０００１】
本考案は、パチンコ等の遊技機に関する情報を表示する遊技機の情報表示具に関するものである。
【背景技術】
【０００２】
従来より、パチンコ等の遊技機に取り付けて、遊技機に関する情報を表示する表示板が知られている。例えば、特許文献１には透明プレートを抜き差しできるようにして、透明プレートの裏面にビラやチラシ等の表示物を挟み入れるように構成された幕板が記載されている。幕板とは遊技機の上部に設置され、点検口を塞ぐ蓋である。
【０００３】
しかしながら、特許文献１に記載された技術にあっては、表示物を平面的に表示するものにすぎないことから、幕板が設置された遊技機の正面方向から見ないと表示物が見にくく、遊技機を選択する際の訴求効果に欠けるという問題もあった。
【先行技術文献】
【特許文献】
【０００４】
【特許文献１】実用新案登録第３１０１５９９号公報
【考案の概要】
【考案が解決しようとする課題】
【０００５】
本考案は、以上のような従来からの不具合を解消するためのものであって、その課題は、遊技機に関する情報を見やすく表示することができる遊技機の情報表示具を提供することにある。
【課題を解決するための手段】
【０００６】
前記課題を解決するために、請求項１記載の考案にあっては、遊技機の上部に配設され、前記遊技機に関する情報が記載された情報シートが着脱可能に収納される遊技機の情報表示具であって、前記遊技機の一般面よりも前出すると共に斜め下方に向かって配設される情報シート収納面部と、前記情報シート収納面部と取付面部との間に設けられ、前記情報シート収納面部を前記遊技機に固定する固定部とを備えたことを特徴とする。
【０００７】
従って、前記情報シート収納面部は、前記固定部によって前記遊技機に固定され、前記遊技機の一般面よりも前出すると共に斜め下方に向かって配設される。
【０００８】
請求項２記載の考案にあっては、前記情報シート収納面部は全体平面長方形板状に形成され、前記情報シートの前面側に着脱可能に配置される透明シートとの間に前記情報シートを挟んで収納するように構成されていることを特徴とする。
【０００９】
従って、前記情報シートは、前記情報シートの前面側に配置された前記透明シートと前記情報シート収納面部との間に挟まれた状態で収納される。
【００１０】
請求項３記載の考案にあっては、前記固定部は、前記情報シート収納面部の横方向両端部に設けられた一対の固定片部として形成されていることを特徴とする。
【００１１】
従って、前記情報シート収納面部は、横方向両端部に設けられた前記一対の固定片部によって前記遊技機に固定され、前記遊技機の一般面よりも前出すると共に斜め下方に向かって配設される。
【００１２】
請求項４記載の考案にあっては、前記取付面部には、前記情報シート収納面部を前記遊技機の上部から吊り下げた状態で係止しうる係止部と、前記係止部から延設され、前記取付面部に連結しうる連結部とを有する連結片部が着脱可能に取り付けられることを特徴とする。
【００１３】
従って、前記連結片部を前記連結部を介して前記取付面部に連結した場合には、前記係止部によって前記情報シート収納面部が前記遊技機の上部から吊り下げた状態で係止される。
【００１４】
請求項５記載の考案にあっては、前記取付面部及び前記連結部には、夫々、挿通孔部が設けられ、前記取付面部と前記連結部とは、前記挿通孔部を介してネジ部材により着脱可能に固定されることを特徴とする。
【００１５】
従って、前記取付面部と前記連結部とは、前記挿通孔部を介してネジ部材により着脱可能に固定される。
【００１６】
請求項６記載の考案にあっては、前記連結部は平面長方形状に形成され、前記挿通孔部が前記連結部の長さ方向に沿って複数設けられていることを特徴とする。
【００１７】
従って、前記連結部に設けられた複数の挿通孔部の内から一つを選択し、選択した挿通孔部の位置と、前記取付面部の挿通孔部の位置とを合わせ、ネジ部材により固定することができる。
【考案の効果】
【００１８】
請求項１記載の遊技機の情報表示具にあっては、前記情報シート収納面部は、前記固定部によって前記遊技機に固定され、前記遊技機の一般面よりも前出すると共に斜め下方に向かって配設されるので、前記情報シート収納面部に収納された前記情報シートを前記遊技機の一般面よりも前出すると共に斜め下方に向かって表示することができる。
その結果、遊技機に関する情報を見やすく表示することができる遊技機の情報表示具を提供することができる。
【００１９】
請求項２記載の遊技機の情報表示具にあっては、前記情報シートは、前記情報シートの前面側に配置された前記透明シートと前記情報シート収納面部との間に挟まれた状態で収納されるので、前記情報シートを前記透明シートを介して視認可能な状態で収納することができると共に、前記透明シートを着脱することで前記情報シートを容易に交換することができる。
【００２０】
請求項３記載の遊技機の情報表示具にあっては、前記情報シート収納面部は、横方向両端部に設けられた前記一対の固定片部によって前記遊技機に固定され、前記遊技機の一般面よりも前出すると共に斜め下方に向かって配設される。
その結果、前記一対の固定片部により前記情報シート収納面部の横方向両端部を固定して、前記情報シート収納面部を安定して確実に支持することができる。
【００２１】
請求項４記載の遊技機の情報表示具にあっては、前記連結片部を前記連結部を介して前記取付面部に連結した場合には、前記係止部によって前記情報シート収納面部が前記遊技機の上部から吊り下げた状態で係止される。
従って、前記情報シート収納面部を前記遊技機に取り付ける際に粘着テープ等を使用する必要がない。その結果、遊技機を粘着テープ等により汚損するといった事態を防止することができると共に、前記情報表示具を遊技機に対して容易に着脱することができる。
【００２２】
請求項５記載の遊技機の情報表示具にあっては、前記取付面部と前記連結部とは、前記挿通孔部を介してネジ部材により着脱可能に固定されるので、前記連結片部を前記情報シート収納面部に対して容易に着脱することができる。
【００２３】
特に、請求項６記載の遊技機の情報表示具にあっては、前記連結部に設けられた複数の挿通孔部の内から一つを選択し、選択した挿通孔部の位置と、前記取付面部の挿通孔部の位置とを合わせ、ネジ部材により固定することができるので、遊技機に対する前記情報シート収納面部の高さを容易に調整することができる。
【図面の簡単な説明】
【００２４】
【図１】図１は、本考案に係る遊技機の情報表示具の第一の実施形態において、遊技機の上部へ取り付けた状態を示す斜視図である。
【図２】図２（ａ）は、本考案に係る遊技機の情報表示具の第一の実施形態を示す正面側斜視図、（ｂ）は本考案に係る遊技機の情報表示具の第二の実施形態を示す正面側斜視図である。
【図３】図３（ａ）は、本考案に係る遊技機の情報表示具の第一の実施形態を示す背面側斜視図、（ｂ）は本考案に係る遊技機の情報表示具の第二の実施形態を示す背面側斜視図である。
【図４】図４は、本考案に係る遊技機の情報表示具の第一の実施形態を示す側面側斜視図である。
【考案を実施するための形態】
【００２５】
以下、本考案の一実施の形態に係る遊技機の情報表示具を、図面を参照して詳細に説明する。
図１〜図４に示すように、本実施の形態に係る遊技機の情報表示具１０は、遊技機６０の上部６１に配設され、遊技機６０に関する情報６２が記載された情報シート１１が着脱可能に収納されるように構成されている。
また、図１〜図４に示すように、本実施の形態に係る遊技機の情報表示具１０は、全体合成樹脂製であって、遊技機６０の一般面６３よりも前出すると共に斜め下方に向かって配設される情報シート収納面部１２と、情報シート収納面部１２と取付面部１３との間に設けられ、情報シート収納面部１２を遊技機６０に固定する固定部１４とを備えている。
【００２６】
また、図１及び図２に示すように、本実施の形態に係る情報シート収納面部１２は全体平面長方形板状に形成され、情報シート１１の前面側に着脱可能に配置される透明シート１５との間に情報シート１１を挟んで収納するように構成されている。
図２（ａ）に示すように、本実施の形態に係る透明シート１５は、全体が透明な合成樹脂製であって、平面長方形状に形成され、情報シート収納面部１２の周縁部に設けられた長方形枠状のフレーム収納部１６に、情報シート収納面部１２の上端部に設けられた側面細長長方形状の開口部３２から情報シート１１と共に収納され、情報シート１１が透明シート１５と情報シート収納面部１２との間に挟まれて収納するように構成されている。
【００２７】
また、図１〜図４に示すように、本実施の形態に係る固定部１４は、情報シート収納面部１２の横方向両端部１７、１７に設けられた平面三角形状の一対の固定片部１８、１８として形成されている。
図１に示すように、本実施の形態に係る固定片部１８にあっては、取付面部１３と、情報シート収納面部１２との挟角αが３０度であり、情報シート収納面部１２が遊技機６０の一般面６３よりも挟角αだけ斜め下方に向かって配設されるように構成されている。
図３（ａ）に示すように、本実施の形態に係る情報シート収納面部１２の後面側の幅方向中央には、一対の固定片部１８、１８間と情報シート収納面部１２とを接合して補強するように、両端が幅広に形成された略細長長方形板状の補強部３３が情報シート収納面部１２の長さ方向に沿って設けられている。
【００２８】
また、図１〜図４に示すように、本実施の形態に係る取付面部１３は平面横長台形状に形成され、取付面部１３には、情報シート収納面部１２を遊技機６０の上部６１から吊り下げた状態で係止しうる側面略コ字状に形成された係止部１９と、係止部１９から延設され、取付面部１３に連結しうる平面長方形状に形成された連結部２０とを有する連結片部２１、２１が着脱可能に取り付けられるように構成されている。
本実施の形態に係る連結片部２１は合成樹脂製であって、係止部１９と連結部２０とが一体に形成されている。
【００２９】
また、図１〜図４に示すように、本実施の形態に係る取付面部１３には挿通孔部２２が、連結部２０には挿通孔部２３ａ、２３ｂ、２３ｃ、２３ｄが、夫々設けられ、取付面部１３と連結部２０とは、挿通孔部２２と、挿通孔部２３ａ、２３ｂ、２３ｃ又は２３ｄとを介してネジ部材２６、２７により着脱可能に固定されるように構成されている。
また、図１〜図４に示すように、本実施の形態に係る連結部２０には、挿通孔部２３ａ、２３ｂ、２３ｃ、２３ｄが連結部２０の長さ方向に沿って複数設けられている。
図２及び図３に示すように、本実施の形態に係るネジ部材２６は、外周面に雄ネジ２８が形成されたボルトとして、ネジ部材２７は、内周面に雌ネジ２９が形成されたナットとして、夫々、構成されている。
【００３０】
図２（ｂ）、図３（ｂ）には、本考案の第二の実施の形態に係る遊技機の情報表示具３０を示す。
図２（ｂ）に示すように、本実施の形態に係る情報シート収納面部１２は、情報シート収納面部１２の横方向両端部に設けられた細長棒状のガイド部３４、３４と、情報シート収納面部１２の下端部の長さ方向に沿って断面略Ｕ字状の溝として形成された下端係止部３５とを有している。
図２（ｂ）に示すように、本実施の形態に係る透明シート１５は全体平面長方形状に形成され、透明シート１５の上端部には、情報シート収納面部１２の上端部に係合するように、長さ方向に沿って断面略Ｕ字状の溝として形成された上端係止部３６が設けられている。
その結果、情報シート収納面部１２に情報シート１１を載置し、透明シート１５を前方から被覆した場合には、透明シート１５の横方向両端部がガイド部３４、３４に、透明シート１５の下端部が下端係止部３５に係合すると共に、透明シート１５の上端係止部３６が情報シート収納面部１２の上端部に係合し、情報シート１１が透明シート１５と情報シート収納面部１２との間に挟まれて収納されるように構成されている。
また、図３（ｂ）に示すように、本実施の形態に係る情報シート収納面部１２の後面側の幅方向中央には、遊技機に関する情報３７が記載された第二の情報シート３８を情報シート収納面部１２との間に挟まれた状態で収納しうる、略細長長方形板状の第二情報シート収納部３９が情報シート収納面部１２の長さ方向に沿って設けられている。
それ以外の構成については、遊技機の情報表示具１０の構成と同一であり、同一符号で表すことにより説明を省略する。
【００３１】
以下、本実施の形態に係る遊技機の情報表示具１０、３０の効果について、図を参照しながら詳細に説明する。
図１〜図４に示すように、本実施の形態に係る遊技機の情報表示具１０、３０は、情報シート収納面部１２は、固定部１４によって遊技機６０に固定され、遊技機６０の一般面６３よりも前出すると共に斜め下方に向かって配設されるので、情報シート収納面部１２に収納された情報シート１１を遊技機６０の一般面６３よりも前出すると共に斜め下方に向かって表示することができる。
その結果、遊技機に関する情報を見やすく表示することができる遊技機の情報表示具を提供することができる。
【００３２】
図１〜図４に示すように、本実施の形態に係る遊技機の情報表示具１０、３０にあっては、情報シート１１は、情報シート１１の前面側に配置された透明シート１５と情報シート収納面部１２との間に挟まれた状態で収納されるので、情報シート１１を透明シート１５を介して視認可能な状態で収納することができると共に、透明シート１５を着脱することで情報シート１１を容易に交換することができる。
【００３３】
図１〜図４に示すように、本実施の形態に係る遊技機の情報表示具１０、３０にあっては、情報シート収納面部１２は、横方向両端部１７、１７に設けられた一対の固定片部１８、１８によって遊技機６０に固定され、遊技機６０の一般面６３よりも前出すると共に斜め下方に向かって配設される。
その結果、一対の固定片部１８、１８により情報シート収納面部１２の横方向両端部１７、１７を固定して、情報シート収納面部１２を安定して確実に支持することができる。
【００３４】
図１〜図４に示すように、本実施の形態に係る遊技機の情報表示具１０、３０にあっては、連結片部２１、２１を連結部２０、２０を介して取付面部１３、１３に連結した場合には、係止部１９、１９によって情報シート収納面部１２が遊技機６０の上部６１から吊り下げた状態で係止される。
従って、情報シート収納面部１２を遊技機６０に取り付ける際に粘着テープ等を使用する必要がない。その結果、遊技機６０を粘着テープ等により汚損するといった事態を防止することができると共に、情報表示具１０、３０を遊技機６０に対して容易に着脱することができる。
【００３５】
図１〜図４に示すように、本実施の形態に係る遊技機の情報表示具１０、３０にあっては、取付面部１３と連結部２０とは、挿通孔部２２と挿通孔部２３ａ、２３ｂ、２３ｃ又は２３ｄを介してネジ部材２６、２７により着脱可能に固定されるので、連結片部２１を情報シート収納面部１２に対して容易に着脱することができる。
【００３６】
特に、図１〜図４に示すように、本実施の形態に係る遊技機の情報表示具１０、３０にあっては、連結部２０に設けられた複数の挿通孔部２３ａ、２３ｂ、２３ｃ、２３ｄの内から一つを選択し、選択した挿通孔部２３ａ、２３ｂ、２３ｃ又は２３ｄの位置と、取付面部１３の挿通孔部２２の位置とを合わせ、ネジ部材２６、２７により固定することができるので、遊技機６０に対する情報シート収納面部１２の高さを容易に調整することができる。
【産業上の利用可能性】
【００３７】
本考案に係る遊技機の情報表示具は、種々の遊技機に広く適用することができ、産業上利用可能性を有している。
【符号の説明】
【００３８】
１０、３０：遊技機の情報表示具
１１、３８：情報シート
１２：情報シート収納面部
１３：取付面部
１４：固定部
１５：透明シート
１６：フレーム収納部
１７：横方向両端部
１８：固定片部
１９：係止部
２０：連結部
２１：連結片部
２２、２３ａ、２３ｂ、２３ｃ、２３ｄ：挿通孔部
２６、２７：ネジ部材
２８：雄ネジ
２９：雌ネジ
３０：情報表示具
３２：開口部
３３：補強部
３４：ガイド部
３５：下端係止部
３６：上端係止部
３７、６２：情報
３９：第二情報シート収納部
６０：遊技機
６１：遊技機の上部
６３：遊技機の一般面
α：挟角
【図１】
0003209779.tif 000003
【図２】
0003209779.tif 000004
【図３】
0003209779.tif 000005
【図４】
0003209779.tif 000006